(57)【要約】【課題】ランプ点灯時に発生するランプ点灯ノイズによる周辺デバイスの動作不良を防止することが可能なプロジェクターおよびプロジェクターの制御方法を提供する。【解決手段】光源装置３１と、光源装置３１の点灯処理を制御する光源駆動制御部と、外部機器２から入力信号を入力する入力デバイス２１と、入力デバイス２１に対する電源投入処理および初期化処理を制御する入力デバイス制御部と、を備え、入力デバイス制御部は、点灯処理時に発生する光源装置３１の点灯ノイズが収まったタイミングで、入力デバイス２１に対して電源投入処理および初期化処理を実行する。【選択図】図１
2012128130.tif 000002
【特許請求の範囲】
【請求項１】
入射される照明光を画像光に変調する光変調素子と、
前記照明光を射出する光源装置と、
前記光源装置の点灯処理を制御する光源駆動制御部と、
外部機器から入力信号が入力される入力デバイスと、
前記入力デバイスに対する電源投入処理および初期化処理を制御する入力デバイス制御部と、を備え、
前記入力デバイス制御部は、
前記点灯処理時に発生する点灯ノイズが収まったタイミングで、前記入力デバイスに対して前記電源投入処理および前記初期化処理を実行することを特徴とするプロジェクター。
【請求項２】
前記入力デバイス制御部は、
前記入力デバイスに対する電源切断処理を、さらに制御し、
前記点灯処理に際し、前記入力デバイスが電源投入状態である場合、当該点灯処理前に前記入力デバイスの前記電源切断処理を実行し、当該点灯処理時に発生する前記光源装置の点灯ノイズが収まったタイミングで、前記入力デバイスに対して再び前記電源投入処理および前記初期化処理を実行することを特徴とする請求項１に記載のプロジェクター。
【請求項３】
前記入力デバイス制御部は、
前記点灯処理時に前記入力デバイスが電源投入状態の場合、当該点灯処理時に発生する前記光源装置の点灯ノイズが収まったタイミングで、前記入力デバイスに対して前記初期化処理のみを実行し、
前記点灯処理時に前記入力デバイスが電源切断状態の場合、当該点灯処理時に発生する前記光源装置の点灯ノイズが収まったタイミングで、前記入力デバイスに対して前記電源投入処理および前記初期化処理を実行することを特徴とする請求項１に記載のプロジェクター。
【請求項４】
前記入力デバイスは、
前記外部機器から無線通信により前記入力信号を入力する無線通信デバイスであることを特徴とする請求項１ないし３のいずれか１項に記載のプロジェクター。
【請求項５】
投写面に対して画像を投写するプロジェクターの制御方法であって、
光源装置の点灯処理を制御する光源駆動制御ステップと、
外部機器から入力信号を入力する入力デバイスに対する電源投入処理および初期化処理を制御する入力デバイス制御ステップと、を備え、
前記入力デバイス制御ステップは、
前記点灯処理時に発生する点灯ノイズが収まったタイミングで、前記入力デバイスに対して前記電源投入処理および前記初期化処理を実行することを特徴とするプロジェクターの制御方法。
【発明の詳細な説明】
【技術分野】
【０００１】
本発明は、スクリーンに画像を投写するプロジェクターおよびプロジェクターの制御方法に関するものである。
【背景技術】
【０００２】
従来、スクリーン等に画像を投写して表示するプロジェクターとして、光源ランプから出射された照射光を、ライトバルブ(液晶等の光バルブ)に入射し、ライトバルブからの画像光をレンズ（投写レンズ）を介してスクリーンに投写するものが知られている（例えば、特許文献１参照）。このプロジェクターでは、光源として、メタルハライドランプ等の高圧放電灯からなる光源ランプを用い、これから出射される光により、スクリーンへの画像投写を行う。
【先行技術文献】
【特許文献】
【０００３】
【特許文献１】特開２００２−３０３９３３号公報
【発明の概要】
【発明が解決しようとする課題】
【０００４】
ところで、一般的にプロジェクターの光源としては、上記プロジェクターのようなメタルハライドランプを始め、ハロゲンランプや高圧水銀ランプといった高電圧放電ランプが用いられる。しかしながら、これら高電圧放電ランプを点灯するためには、当該ランプに高電圧をかける必要がある。このため、ランプ点灯時に、ランプ点灯に伴うノイズ（ランプ点灯ノイズ）が発生し、このノイズがプロジェクターに内蔵された周辺デバイス（周辺回路）に悪影響を与え、周辺デバイスの動作不良（誤動作）を招くという問題がある。
また、高圧放電ランプは、その性質上、ランプの温度（ランプ周辺の温度）が一定の温度以下にならないと、ランプを点灯することができない。このため、ランプが温かい状態でランプの点灯をすると、ランプが点灯しないことがあり、この場合、ランプの点灯動作を繰返し行うことになる。この結果、ランプ点灯ノイズの発生回数が増え、周辺デバイスの動作不良を招く確率が増えるという問題がある。
【０００５】
本発明は、上記の問題に鑑み、ランプ点灯時に発生するランプ点灯ノイズによる周辺デバイスの動作不良を防止することが可能なプロジェクターおよびプロジェクターの制御方法を提供することを目的とする。
【課題を解決するための手段】
【０００６】
本発明のプロジェクターは、入射される照明光を画像光に変調する光変調素子と、照明光を射出する光源装置と、光源装置の点灯処理を制御する光源駆動制御部と、外部機器から入力信号が入力される入力デバイスと、入力デバイスに対する電源投入処理および初期化処理を制御する入力デバイス制御部と、を備え、入力デバイス制御部は、点灯処理時に発生する点灯ノイズが収まったタイミングで、入力デバイスに対して電源投入処理および初期化処理を実行することを特徴とする。
【０００７】
また、本発明のプロジェクターの制御方法は、投写面に対して画像を投写するプロジェクターの制御方法であって、光源装置の点灯処理を制御する光源駆動制御ステップと、外部機器から入力信号を入力する入力デバイスに対する電源投入処理および初期化処理を制御する入力デバイス制御ステップと、を備え、入力デバイス制御ステップは、点灯処理時に発生する点灯ノイズが収まったタイミングで、入力デバイスに対して電源投入処理および初期化処理を実行することを特徴とする。
【０００８】
これらの構成によれば、光源装置（光源ランプ等）の点灯時に発生するノイズ（ランプ点灯ノイズ）が収まったタイミングで、入力デバイスの電源投入および初期化処理を行なう。即ち、ランプ点灯ノイズが発生している間は、入力デバイスには電源が投入されないため、入力デバイスはランプ点灯ノイズによる影響を受けることが無くなり、結果として、ランプ点灯ノイズによる入力デバイスの動作不良（例えば、画像信号、音声信号や制御信号の欠落等）を防止することができる。
【０００９】
本発明のプロジェクターにおいて、入力デバイス制御部は、入力デバイスに対する電源切断処理を、さらに制御し、点灯処理に際し、入力デバイスが電源投入状態である場合、当該点灯処理前に入力デバイスの電源切断処理を実行し、当該点灯処理時に発生する光源装置の点灯ノイズが収まったタイミングで、入力デバイスに対して再び電源投入処理および初期化処理を実行することが好ましい。
【００１０】
この構成によれば、光源装置の点灯処理時に入力デバイスの電源が投入されている場合（電源が供給されている場合）、一旦、入力デバイスの電源を切断した後に点灯処理を実行し、ランプ点灯ノイズが収まったタイミングで、再度電源投入および初期化処理を行なう。即ち、ランプ点灯ノイズ発生期間中は入力デバイスの電源は切断され、停止している状態であるため、入力デバイスはランプ点灯ノイズによる影響を受けることが無く、ランプ点灯ノイズによる動作不良を防止することができる。
【００１１】
本発明のプロジェクターにおいて、入力デバイス制御部は、点灯処理時に入力デバイスが電源投入状態の場合、当該点灯処理時に発生する光源装置の点灯ノイズが収まったタイミングで、入力デバイスに対して初期化処理のみを実行し、点灯処理時に入力デバイスが電源切断状態の場合、当該点灯処理時に発生する光源装置の点灯ノイズが収まったタイミングで、入力デバイスに対して電源投入処理および初期化処理を実行することが好ましい。
【００１２】
この構成によれば、光源装置の点灯処理時に入力デバイスの電源が投入されている場合、ランプ点灯ノイズが収まったタイミングで、入力デバイスに対して初期化処理のみを実行する。即ち、上述のように、入力デバイスの電源切断処理や再電源投入処理が不要となるため、入力デバイスが使用可能な状態になるまでの時間を短縮することができる。なお、初期化処理のみの実行は、例えば、ランプ点灯ノイズの影響が少ない入力デバイスに適用することが考えられる。
【００１３】
本発明のプロジェクターにおいて、入力デバイスは、外部機器から無線通信により入力信号を入力する無線通信デバイスであることが好ましい。
【００１４】
この構成によれば、プロジェクターに内蔵される無線通信デバイスが、ランプ点灯ノイズの影響による動作不良を招くことを防止することができる。なお、無線通信デバイスとしては、例えば、ＷｉＨＤ（Wireless  HD）規格や、Ｂｌｕｅｔｏｏｔｈ（登録商標）規格や、ＷＵＳＢ（Wireless  USB）規格に対応したデバイスが考えられる。
【図面の簡単な説明】
【００１５】
【図１】本実施形態に係るプロジェクターの構成を示すブロック図である。
【図２】光源ランプを点灯させるための構成を示すブロック図である。
【図３】光源ランプが点灯するまでに光源ランプに印加される電圧の時間変化を示すグラフである。
【図４】プロジェクターの機能ブロック図である。
【図５】プロジェクターがコールドスタンバイの場合の、ランプ点灯処理時における無線通信デバイスの電源制御処理の手順について説明するフローチャートである。
【図６】プロジェクターがホットスタンバイの場合の、ランプ点灯処理時における無線通信デバイスの電源制御処理の手順について説明するフローチャートである。
【図７】光源ランプの再点灯待ち状態において、無線通信デバイスへアクセスする必要がある場合の、ランプ点灯処理時における無線通信デバイスの電源制御処理の手順について説明するフローチャートである。
【図８】プロジェクターが通常動作中に、光源ランプの消灯・点灯のみが実行された場合の、ランプ点灯処理時における無線通信デバイスの電源制御処理の手順について説明するフローチャートである。
【発明を実施するための形態】
【００１６】
以下、添付の図面を参照し、本発明の一実施形態に係るプロジェクターおよびプロジェクターの制御方法について説明する。図１は、プロジェクター１の構成を示すブロック図である。同図に示すように、プロジェクター１は、信号入力部１１、画像処理部１２、操作部１３、音声出力部１４、投写光学系１５、レンズシャッター開閉検出部１６、電源部１７およびこれらを制御する制御部１８（コントローラー）を備えている。
【００１７】
信号入力部１１は、外部機器２（例えば、パーソナルコンピューター、ビデオレコーダー、ＤＶＤプレーヤー、携帯端末等）から画像信号（映像信号）をはじめ、音声信号や制御信号を入力する。この信号入力部１１は、無線通信によって各種信号を入力する無線通信デバイス２１（入力デバイス）により構成されている。この無線通信デバイス２１は、例えば、ＷｉＨＤ（Wireless  HD）規格や、Ｂｌｕｅｔｏｏｔｈ（登録商標）規格や、ＷＵＳＢ（Wireless  USB）規格等に対応したデバイスである。
【００１８】
なお、図示は省略するが、本発明のプロジェクター１の信号入力部１１は、上述の無線通信デバイス２１以外にも、外部機器２とケーブルにより接続し、外部機器２から出力された各種信号（ＲＧＢ信号、コンポジット信号、音声信号等）を受信するインターフェース（デバイス）、およびＵＳＢメモリーやコンパクトフラッシュ（登録商標）等の外部記憶媒体から画像データを入力するインターフェース（デバイス）を有している。前者の場合、信号入力部１１は、例えば、ＨＤＭＩ端子、Ｓビデオ端子、ビデオ端子、および音声入力端子等を主要部として構成され、後者の場合、ＵＳＢメモリーやコンパクトフラッシュ（登録商標）等の外部記憶媒体を接続するためのＵＳＢポートやメモリーカードスロットを主要部として構成される。
【００１９】
画像処理部１２は、信号入力部１１（無線通信デバイス２１）により入力した画像信号に対し、予め記憶されている画像処理プログラムに基づいて、所定の画像処理を実行する。所定の画像処理としては、解像度変換、輝度調整、コントラスト調整、シャープネス調整等の画質調整、あるいは、台形補正等が含まれる。
【００２０】
操作部１３は、プロジェクター１に設けられ、プロジェクター１の電源ＯＮ／ＯＦＦ操作を行うための電源ボタン２２や各種設定（コントラスト設定、色補正、環境設定など）を行うためのボタン群を有している。ユーザーによりこれらのボタンが操作されることで、プロジェクター１に対して各種指示が行われる。
【００２１】
音声出力部１４は、制御部１８の指示に基づいて、信号入力部１１から入力した音声信号に、その出力特性を調整するための所定の処理を施し、調整した音声信号に基づく音声を出力する。なお、この音声出力は、プロジェクター１に内蔵されたスピーカー（図示省略）から出力するようにしても良いし、外部スピーカー（図示省略）から出力するようにしても良い。
【００２２】
投写光学系１５は、スクリーンＳＣ上に、画像を投写するためのものであり、光源装置３１、液晶ライトバルブ３２、投写レンズ３３、ランプ駆動部３４およびライトバルブ駆動部３５を有している。
【００２３】
光源装置３１は、光源ランプ３１１、照明光学系３１２等で構成することが可能である。光源ランプ３１１としては、ハロゲンランプ、メタルハライドランプまたは高圧水銀ランプといった高電圧放電ランプを適用可能である。照明光学系３１２は一対のフライアイレンズ等で構成することが可能である。光源ランプ３１１から射出された光は、照明光学系３１２を通過することにより、後述する液晶ライトバルブ３２の光入射面において輝度分布が一様な照明光になる。ランプ駆動部３４は、制御部１８からの点灯指令に基づいて光源装置３１の光源ランプ３１１を点灯させ、消灯指令に基づいて光源ランプ３１１を消灯させる。
【００２４】
ここで、図２のブロック図を参照して、光源ランプ３１１を点灯させるための構成について説明する。光源ランプ３１１は、反射鏡３１１３の中央部に耐熱セメントを介して固着される発光管３１１１を備えている。発光管３１１１は、一対の電極３１１２（３１１２Ａ，３１１２Ｂ）を有しており、それぞれリード線を介してランプ駆動部３４に接続されている。
発光管３１１１内には少量のハロゲン化金属等が封入されており、光源ランプ３１１が消灯しているときは、電極３１１２等に固体の状態で付着している。光源ランプ３１１が点灯すると、ハロゲン化金属等が加熱されて蒸発し、発光管３１１１内を満たす。ランプ駆動部３４は、電源部１７から供給される直流電源（例えばＤＣ３８０Ｖ）を用いて光源ランプ３１１の点灯状態を制御する。
【００２５】
次に、図３のグラフを参照して、光源ランプ３１１を点灯させるときのランプ電圧Ｖｌａの時間変化を説明する。ランプ駆動部３４は、光源ランプ３１１が消灯している状態で制御部１８からの点灯指令を受け付けると、図３に示すように、光源ランプ３１１に対して高電圧（例えば数ｋＶ〜２０ｋＶ）のイグニッション電圧を供給する。このとき、電磁ノイズ（ランプ点灯ノイズ）が発生する。高電圧のイグニッション電圧が光源ランプ３１１に印加されると、電極３１１２間の絶縁が破壊され、グロー放電が起こる。グロー放電を維持するために、ランプ駆動部３４は、定常点灯時よりも高い電圧で光源ランプ３１１を定電流駆動する。電極３１１２の温度が上昇して発光管３１１１内部が気化したハロゲン化金属等の蒸気で満たされると、アーク放電に移行して最終的に定常点灯状態に至る。ランプ駆動部３４は、定常点灯中は光源ランプ３１１を所定の範囲の電圧（例えば７０〜１３０Ｖ）で定電力駆動する。
【００２６】
図１の説明に戻る。液晶ライトバルブ３２は、一対の透明基板間に液晶が封入された液晶パネル等によって構成され、各透明基板の内面には、液晶に対して微小領域毎に駆動電圧を印加可能な透明電極が、画素としてマトリクス状に形成されている。ライトバルブ駆動部３５は、液晶ライトバルブ３２の各画素に、画像データに応じた駆動電圧を印加することにより、各画素の光透過率を設定する。
【００２７】
上記の構成により、投写光学系１５では、光源装置３１から射出された照明光が、液晶ライトバルブ３２を透過することによって変調される。また、変調された画像光は、不図示の光合成光学系（ダイクロイックプリズムなど）により画素毎に合成され、投写レンズ３３によってスクリーンＳＣ上に投写される。
【００２８】
レンズシャッター開閉検出部１６は、投写レンズ３３から射出される画像光の遮蔽または解除を行なうためのスライド式のレンズシャッター２３の開閉状態（「開」または「閉」の状態）を検出して、制御部１８に対してその旨を示す信号（レンズシャッター開信号またはレンズシャッター閉信号）を出力する。このレンズシャッター開閉検出部１６としては、例えば、レンズシャッター２３の開閉に対応した信号を出力可能な光センサーやマイクロスイッチなどを用いることができる。なお、レンズシャッター２３の開閉は、ユーザーが手動で行なう機構であっても良いし、操作部１３にシャッター開閉ボタン（図示省略）を設け、ボタン操作で開閉する機構であっても良い。あるいは、リモコン（図示省略）の操作により開閉する機構であっても良い。
【００２９】
電源部１７は、外部の商用電源（ＡＣ（Alternating  Current）電源）などから電源ケーブル（図示省略）を介して、プロジェクター１を構成する各部（各部を構成するデバイス）に電源（電力）を供給する。
【００３０】
制御部１８は、メインＣＰＵ４１（Central  Processing  Unit）と、メインＣＰＵ４１とシステムバス４５により接続されるサブＣＰＵ４２と、メインＣＰＵ４１に接続されるメインメモリー４３と、サブＣＰＵ４２に接続されるサブメモリー４４を主要部として構成される。メインＣＰＵ４１は、各種演算を行なう主制御処理装置であり、各部との信号の入出力を行なうことによりプロジェクター１を統括制御する。メインメモリー４３は、主記憶装置として機能し、メインＣＰＵ４１が各種演算処理を行なうために用いられる制御プログラムおよび制御データを記憶している。当該制御プログラムには、前述の画像処理部１２において用いられる画像処理プログラムが含まれる。
【００３１】
サブＣＰＵ４２は、副制御処理装置として機能するものであり、メインＣＰＵ４１よりも低い消費電力で動作するように構成されている。サブＣＰＵ４２は、主に、待機状態における電源制御（待機状態において電源ボタン２２の押下信号やレンズシャッター２３の開閉信号を受信した場合の、メインＣＰＵ４１対する電源制御）などを行なう。サブメモリー４４は、副記憶装置として機能し、サブＣＰＵ４２で用いられる制御プログラムおよび制御データを記憶している。なお、待機状態とは、プロジェクター１にＡＣ電源が接続されることにより、サブＣＰＵ４２およびサブメモリー４４にのみ電源が供給されている状態である（メインＣＰＵ４１は動作しない状態）。
【００３２】
ところで、プロジェクター１に電源を供給し、駆動させる場合、当然のことながら光源ランプ３１１を点灯させる処理（ランプ点灯処理）が実行される。この場合、光源ランプ３１１の点灯に伴いノイズ（ランプ点灯ノイズ）が発生し、このランプ点灯ノイズがプロジェクター１を構成する他のデバイス（他のデバイスの一部）に影響を及ぼし、動作不良を招くという問題がある。そこで、本発明のプロジェクター１では、ランプ点灯ノイズの影響によるデバイス（構成要素）の動作不良を防止するために、ランプ点灯ノイズの影響を受けるデバイスの電源投入／電源切断処理、および初期化処理のタイミングを制御する。なお、本実施形態では、ランプ点灯ノイズの影響を受けるデバイスとして、信号入力部１１を構成する無線通信デバイス２１を例に挙げて説明する。
【００３３】
次に、図４の機能ブロック図を参照して、本発明のプロジェクター１の機能構成について説明する。図４に示すように、プロジェクター１は、機能構成として、第１の電源投入手段５１、第２の電源投入手段５２（電源投入処理）、デバイス初期化手段５３（初期化処理）、第１の電源切断手段５４、第２の電源切断手段５５（電源切断処理）、デバイス状態判定手段５６、レンズシャッター状態検出手段５７、ランプ点灯手段５８、ランプ点灯判定手段５９、およびランプ消灯手段６０を備えている。なお、請求項における光源駆動制御部は、ランプ点灯手段５８、ランプ点灯判定手段５９、およびランプ消灯手段６０を主要な構成要素とするものである。また、請求項における入力デバイス制御部は、第２の電源投入手段５２、デバイス初期化手段５３、および第２の電源切断手段５５を主要な構成要素とするものである。
【００３４】
第１の電源投入手段５１は、制御部１８および電源部１７により、その主要部が構成され、プロジェクター１を構成するデバイス（構成要素）の内、ランプ点灯ノイズの影響を受けるデバイス（無線通信デバイス２１）以外のデバイスに電源を供給する。第２の電源投入手段５２は、制御部１８および電源部１７により、その主要部が構成され、プロジェクター１を構成するデバイス（構成要素）の内、ランプ点灯ノイズの影響を受けるデバイス、即ち、無線通信デバイス２１に対してのみ、電源供給を行なう。デバイス初期化手段５３は、制御部１８により、その主要部が構成され、無線通信デバイス２１の初期化処理を行なう。
【００３５】
第１の電源切断手段５４は、制御部１８および電源部１７により、その主要部が構成され、プロジェクター１を構成するデバイスの内、無線通信デバイス２１以外のデバイスに対する電源供給を停止し（電源を切断し）、その動作を停止させる。第２の電源切断手段５５は、制御部１８および電源部１７により、その主要部が構成され、プロジェクター１を構成するデバイスの内、無線通信デバイス２１に対してのみ電源供給を停止し、その動作を停止させる。
【００３６】
デバイス状態判定手段５６は、制御部１８により、その主要部が構成され、レンズシャッター２３の開閉をトリガーとした光源ランプ３１１の点灯処理時（再点灯処理時）に無線通信デバイス２１が動作しているか否か（電源投入状態か電源切断状態か）を判定する。レンズシャッター状態検出手段５７は、制御部１８およびレンズシャッター開閉検出部１６により、その主要部が構成され、レンズシャッター２３が、開いている状態であるか、閉じている状態であるのかを検出する。
【００３７】
ランプ点灯手段５８は、制御部１８およびランプ駆動部３４により、その主要部が構成され、光源ランプ３１１の点灯処理を実行する。この光源ランプ３１１の点灯処理は、電源ボタン２２等の操作によりプロジェクター１に電源が供給され、且つレンズシャッター２３が開いている場合や、プロジェクター１が正常動作中に、一旦レンズシャッター２３が閉じられ、再度、レンズシャッター２３が開かれた場合、あるいは後述のランプ点灯判定手段５９により光源ランプ３１１が正常に点灯していないと判定された場合に実行される。
【００３８】
ランプ点灯判定手段５９は、制御部１８およびランプ駆動部３４により、その主要部が構成され、ランプ点灯処理において、光源ランプ３１１が正常に点灯したか否かを判定する。具体的には、ランプ駆動部３４が備えるバラスト回路（図示省略）から光源ランプ３１１に電流（点灯電流）が流れている場合は、光源ランプ３１１は正常に点灯したと判定し、点灯電流が流れていない場合は、光源ランプ３１１の点灯に失敗した（正常に点灯していない）と判定する。
【００３９】
ランプ消灯手段６０は、制御部１８およびランプ駆動部３４により、その主要部が構成され、光源ランプ３１１の消灯処理を実行する。この光源ランプ３１１の消灯処理は、電源ボタン２２等の操作により、プロジェクター１の電源が切断された場合、またはプロジェクター１が正常動作中に、レンズシャッター２３が閉じられた場合に実行される。
【００４０】
次に、図５ないし図８のフローチャートを参照して、光源ランプ３１１の点灯処理時における無線通信デバイス２１の電源制御処理（電源供給／電源切断処理および初期化処理）の手順について説明する。図５は、プロジェクター１がコールドスタンバイの場合の手順を示すフローチャートである。まず、プロジェクター１がＡＣ電源に接続されると、サブＣＰＵ４２のみに電源が供給され、待機状態になる（Ｓ０１）。この状態で、ユーザーの操作により、電源ボタン２２が押下されると（電源ＯＮ操作，Ｓ０２）、サブＣＰＵ４２は、これをトリガーとしてメインＣＰＵ４１に対して電源を供給し、メインＣＰＵ４１を動作させる（Ｓ０３）。
【００４１】
次に、制御部１８（メインＣＰＵ４１およびサブＣＰＵ４２）は、プロジェクター１を構成する各デバイスに対して電源供給を行なう。この時、プロジェクター１は、構成デバイスの内、光源ランプ３１１の点灯に伴い発生するランプ点灯ノイズの影響を受けるデバイス以外のデバイス、即ち、無線通信デバイス２１以外のデバイスに対して電源供給を行なう（Ｓ０４）。
【００４２】
次に、制御部１８は、レンズシャッター２３の状態を検出する。レンズシャッター２３が閉じていることを検出した場合（Ｓ０５；Ｎｏ）、レンズシャッター２３が開状態になるまで（レンズシャッター開信号を受信するまで）待機する。一方、レンズシャッター２３が、開いていることを検出した場合（Ｓ０５；Ｙｅｓ）、制御部１８は、ランプ駆動部３４を制御して、光源ランプ３１１の点灯処理を開始する（Ｓ０６）。そして、制御部１８は、光源ランプ３１１の点灯処理開始から所定時間経過後、光源ランプ３１１が正常に点灯したか否かを判定するランプ点灯チェックを行なう（Ｓ０７）。この光源ランプ３１１の点灯処理開始時からランプ点灯チェックを行なうまでの時間、即ち、上記の所定時間に相当する時間の間、光源ランプ３１１からは、その点灯に伴うランプ点灯ノイズが発生する。
【００４３】
Ｓ０７のランプ点灯チェックにおいて、光源ランプ３１１の点灯に失敗したと判定した場合（Ｓ０７；Ｎｏ）、制御部１８は、光源ランプ３１１の再点灯待ち状態になり（Ｓ０８）、再点灯処理が可能になるまでにかかる時間が経過した後（光源ランプ３１１または光源ランプ３１１周辺の温度が、予め規定された所定温度になるまでの時間が経過した後。以降、「再点灯待ち時間」と称する）、再度、光源ランプ３１１の点灯処理（再点灯処理）を実行する（Ｓ０６以降の処理を繰り返す）。
【００４４】
一方、Ｓ０７のランプ点灯チェックにおいて、光源ランプ３１１が正常に点灯したと判定した場合（Ｓ０７；Ｙｅｓ）、制御部１８は、無線通信デバイス２１（ランプ点灯ノイズの影響を受けるデバイス）に対して電源を供給すると共に、無線通信デバイス２１の初期化処理を実行する（Ｓ０９）。即ち、光源ランプ３１１の再点灯処理も含め、光源ランプ３１１が正常に点灯し、光源ランプ３１１から発生するランプ点灯ノイズが完全に収まったタイミングで、無線通信デバイス２１（ランプ点灯ノイズの影響を受けるデバイス）に対して電源供給および初期化を実行する。ここで、ランプ点灯ノイズが完全に収まったタイミングとは、光源ランプ３１１が正常に点灯したことが確認できたタイミングとしてもよい。具体的には、ランプ駆動部３４の図示しないランプ電圧検出回路において検出される光源ランプ３１１のランプ電圧Ｖｌａが、所定の範囲内（例えば７０〜１３０Ｖ）で安定したことが確認されれば、光源ランプ３１１が正常に点灯したといえる。
【００４５】
無線通信デバイス２１を含む全てのデバイスが駆動した後、制御部１８は、スクリーンＳＣに対して画像を投写する等の一般的な処理（以下、「通常処理」と称する）を行なう（Ｓ１０）。そして、任意のタイミングで、ユーザーにより電源ボタン２２が押下されると（電源ＯＦＦ操作，Ｓ１１）、これをトリガーとして、サブＣＰＵ４２以外のデバイス（メインＣＰＵ４１および無線通信デバイス２１を含む全てのデバイス）への電源供給を停止し、その動作を停止させる（Ｓ１２）。
【００４６】
次に、図６のフローチャートを参照して、プロジェクター１がホットスタンバイの場合の手順について説明する。まず、プロジェクター１がＡＣ電源に接続されると、サブＣＰＵ４２およびメインＣＰＵ４１に電源が供給され（Ｓ２１）、ユーザーからの電源ＯＮ操作（電源ＯＮ指示）を受付可能な状態で待機する（Ｓ２２；Ｎｏ）。この状態で、ユーザーの操作により、電源ボタン２２が押下（電源ＯＮ操作）されると（Ｓ２２；Ｙｅｓ）、制御部１８（メインＣＰＵ４１およびサブＣＰＵ４２）は、これをトリガーとして、プロジェクター１を構成する各デバイスに対して電源供給を行なう。この時、プロジェクター１は、構成デバイスの内、ランプ点灯ノイズの影響を受ける無線通信デバイス２１以外のデバイスに対して電源供給を行なう（Ｓ２３）。
【００４７】
次に、制御部１８は、レンズシャッター２３の状態を検出する。レンズシャッター２３が閉じていることを検出した場合（Ｓ２４；Ｎｏ）、レンズシャッター２３が開状態になるまで（レンズシャッター開信号を受信するまで）待機する。一方、レンズシャッター２３が、開いていることを検出した場合（Ｓ２４；Ｙｅｓ）、制御部１８は、ランプ駆動部３４を制御して、光源ランプ３１１の点灯処理を開始する（Ｓ２５）。
【００４８】
次に、制御部１８は、光源ランプ３１１の点灯処理開始から所定時間経過後、光源ランプ３１１が正常に点灯したか否かを判定するランプ点灯チェックを行なう（Ｓ２６）。ランプ点灯チェックにおいて、光源ランプ３１１の点灯に失敗したと判定した場合（Ｓ２６；Ｎｏ）、制御部１８は、光源ランプ３１１の再点灯待ち状態になり（Ｓ２７）、再点灯待ち時間が経過した後、再度、光源ランプ３１１の点灯処理を実行する（Ｓ２６以降の処理を繰り返す）。
【００４９】
一方、Ｓ２６のランプ点灯チェックにおいて、光源ランプ３１１が正常に点灯したと判定した場合（Ｓ２６；Ｙｅｓ）、制御部１８は、無線通信デバイス２１（ランプ点灯ノイズの影響を受けるデバイス）に対して電源を供給すると共に、無線通信デバイス２１の初期化処理を実行する（Ｓ２８）。即ち、光源ランプ３１１の再点灯処理も含め、光源ランプ３１１が正常に点灯し、光源ランプ３１１から発生するランプ点灯ノイズが完全に収まったタイミングで、無線通信デバイス２１に対して電源供給および初期化を実行する。
【００５０】
無線通信デバイス２１を含む全てのデバイスが駆動した後、制御部１８は、スクリーンＳＣに対して画像を投写する等の通常処理を行なう（Ｓ２９）。そして、任意のタイミングで、ユーザーにより電源ボタン２２が押下されると（電源ＯＦＦ操作，Ｓ３０）、これをトリガーとして、メインＣＰＵ４１およびサブＣＰＵ４２以外のデバイス（無線通信デバイス２１を含む）への電源供給を停止し、その動作を停止させる（Ｓ３１）。そして、Ｓ２２以降の処理を繰り返す。
【００５１】
次に、図７のフローチャートを参照して、光源ランプ３１１の再点灯待ち状態において、無線通信デバイス２１へアクセスする必要がある場合の処理手順について説明する。なお、図７のＳ４１からＳ４６、およびＳ５０からＳ５３までの処理は、図６のＳ２１からＳ２６、およびＳ２８からＳ３１までの処理と同じであるため、説明を省略する。
【００５２】
Ｓ４６のランプ点灯チェックにおいて、光源ランプ３１１の点灯に失敗したと判定した場合（Ｓ４６；Ｎｏ）、制御部１８は、光源ランプ３１１の再点灯待ち状態になる。この時、再点灯待ち時間が長い場合（例えば、光源ランプ３１１の温度が高温で、所定温度になるまでに時間がかかる場合）、且つ無線通信デバイス２１へのアクセスが必要な場合、制御部１８は、無線通信デバイス２１に対して電源を供給すると共に、無線通信デバイス２１の初期化処理を実行する（Ｓ４７）。そして、再点灯待ち時間が経過し（Ｓ４８）、再びランプ点灯処理を開始する前に、Ｓ４７で動作させた無線通信デバイス２１に対して電源供給を停止し（無線通信デバイス２１以外のデバイスへの電源供給は継続されている，Ｓ４９）、その後、ランプ点灯処理を開始する（Ｓ４５）。
【００５３】
即ち、光源ランプ３１１の再点灯待ち時間が長い場合は、長時間、画像が投写出来ない状態になるため、ユーザーはプロジェクター１が正常に動作しているのかどうかが分からず、不安になる場合がある。このような場合、上述のように、一時的に無線通信デバイス２１を利用可能状態にすることで、その間（再点灯待ち時間）をつなぐために、例えば、無線通信デバイス２１を介して音声信号を入力し、これに基づいて音声出力を行なう等の処理を実行することができる。
【００５４】
次に、図８のフローチャートを参照して、プロジェクター１が通常動作している最中に、光源ランプ３１１の消灯・点灯のみが実行された場合の手順について説明する。なお、図８のＳ６１からＳ７０の処理は、図５のＳ０１からＳ１０の処理と同様であるため、説明は省略する。
【００５５】
Ｓ７０でプロジェクター１が通常動作（通常処理）をしている最中に、ユーザーによりレンズシャッター２３が閉じられた場合、制御部１８（メインＣＰＵ４１およびサブＣＰＵ４２）は、レンズシャッター状態検出手段５７によりレンズシャッター２３が閉状態であることを検出し（Ｓ７１）、これをトリガーとして、光源ランプ３１１の消灯処理を実行する（Ｓ７２）。この時、画像は投写しないが、音声出力は行う場合、光源ランプ３１１以外のデバイス（無線通信デバイス２１を含む）の電源は継続して供給される（光源ランプ３１１以外のデバイスは動作継続中である）。
【００５６】
この状態で、ユーザーによりレンズシャッター２３が開けられた場合、制御部１８は、レンズシャッター状態検出手段５７によりレンズシャッター２３が開状態であることを検出し（Ｓ７３）、これをトリガーとして、再び光源ランプ３１１の点灯処理を開始する。この時、制御部１８は、光源ランプ３１１の点灯処理に先立ち、無線通信デバイス２１が動作中か否かを判定する。ここでは、無線通信デバイス２１が動作中であると判定されるため、制御部１８は、無線通信デバイス２１の電源供給を停止し、その動作を停止させる（Ｓ７４）。その後、Ｓ７５からＳ７７のランプ点灯処理（ランプ再点灯処理）を実行し、ランプ点灯チェックにより光源ランプ３１１が正常に点灯（再点灯）したタイミングで、即ち、光源ランプ３１１のランプ点灯ノイズが収まったタイミングで、再度、無線通信デバイス２１に対して電源供給および初期化を実行し（Ｓ７８）、通常処理に移行する（Ｓ７９）。
【００５７】
以上の構成により、本実施形態によれば、光源ランプ３１１（光源装置）の点灯時に発生するランプ点灯ノイズが収まったタイミングで、無線通信デバイス２１（入力デバイス）の電源投入および初期化処理を行なう。即ち、ランプ点灯ノイズが発生している間は、無線通信デバイス２１には電源が投入されないため、無線通信デバイス２１はランプ点灯ノイズによる影響を受けることが無くなり、結果として、ランプ点灯ノイズによる無線通信デバイス２１の動作不良（例えば、画像信号、音声信号や制御信号の欠落等）を防止することができる。
【００５８】
また、光源ランプ３１１の再点灯をする場合に、既に無線通信デバイス２１が動作している状況であっても、光源ランプ３１１の再点灯前に、一旦、無線通信デバイス２１の電源を切断し、光源ランプ３１１が正常に点灯した後に、再度、電源供給および初期化処理をすることで、無線通信デバイス２１が、ランプ点灯ノイズの影響を受けることを回避することができる。
【００５９】
なお、本実施形態では、無線通信デバイス２１の動作中に光源ランプ３１１の点灯・消灯が行なわれる場合、ランプ点灯処理前に、一旦、無線通信デバイス２１の電源を切断し、ランプ点灯後に、再度、無線通信デバイス２１の電源投入および初期化処理を実行しているが（図８のＳ７１からＳ７８に相当）、これに限るものではない。例えば、ランプ点灯処理中も無線通信デバイス２１の電源供給を継続しておき（ランプ点灯処理中も無線通信デバイス２１の動作を継続しておき）、光源ランプ３１１が正常に点灯し、ランプ点灯ノイズが収まった時点で、初期化処理のみを行なうようにしても良い。即ち、図８のＳ７４の処理を実行せず、Ｓ７８の処理の代わりに初期化処理のみを実行するようにしても良い。このようにすることで、無線通信デバイス２１の電源切断処理や再電源投入処理が不要となるため、無線通信デバイス２１が使用可能な状態になるまでの時間を短縮することができる。
【００６０】
また、本実施形態では、制御部１８は、サブＣＰＵ４２を有する構成となっているが、これに限るものではなく、１つのＣＰＵ（メインＣＰＵ４１に相当）で動作するプロジェクター１にも適用することが可能である。
【００６１】
また、本実施形態では、ランプ点灯ノイズの影響を受けるデバイスとして、画像信号や音声信号等を入力する信号入力部１１を構成する無線通信デバイス２１を例示しているが、これに限るものではない。例えば、リモコンからの操作信号を受信するために用いられる無線通信デバイス等にも適用することが可能である。また、無線通信デバイス２１以外の入力デバイス、あるいはプロジェクター１を構成する他のデバイス（入力デバイス以外のデバイス）にも適用可能である。
【００６２】
また、本実施形態では、光源ランプ３１１の点灯処理のトリガーとして、電源ボタン２２の押下やレンズシャッター２３の開閉操作を例示しているが、これに限るものではない。例えば、外部機器２から発信された電源投入信号（パワーオン信号）を受信し、これをトリガーとしたプロジェクター１の起動に伴う光源ランプ３１１の点灯処理を実行する場合にも適用可能である。
【００６３】
また、本実施形態では、電源ボタン２２が押下されたときの光源ランプ３１１の点灯処理の条件として、レンズシャッター２３が開いていることとしたが、これに限るものではない。例えば、レンズシャッター２３の状態にかかわらず、光源ランプ３１１を点灯させても良い。これによれば、ユーザーがプロジェクター１のレンズシャッター１を開けたときには光源ランプ３１１が点灯しているので、速やかに画像を投写することが可能となる。
【００６４】
また、本実施形態では、無線通信デバイス２１に電源を供給する条件として、ランプが点灯していることとしたが、これに限るものではない。例えば、電源ボタン２２が押下されたときレンズシャッター２３が閉じている場合は、光源ランプ３１１を点灯させること無く、無線通信デバイス２１に対して電源供給および初期化を実行しても良い。これによれば、プロジェクター１が画像を投写していない状態でも、外部機器から無線通信デバイス２１を通じてプロジェクター１に入力される入力信号に基づくコンテンツのうち、音声については音声出力部１４から出力させることができるので、プロジェクター１をスピーカーまたはアンプとして利用することが可能となり、利便性が高い。
【００６５】
また、本実施形態では、照明光学系３１２として1対のフライアイレンズを用いた構成を例示したが、これに限るものではない。例えば、照明光学系３１２として、内壁が鏡面処理され、両端に開口を有するロッドインテグレーターを採用可能である。
【００６６】
また、本実施形態では、光変調素子として透過型の液晶ライトバルブ３２を例示したが、これに限るものではなく、反射型の液晶ライトバルブを採用可能である。さらに、光変調素子として、デジタルマイクロミラーデバイスを採用することも可能である。
【００６７】
また、上記の実施形態に示したプロジェクター１の各機能（各処理）をプログラムとして提供することが可能である。また、そのプログラムを各種記録媒体（ＣＤ−ＲＯＭ、フラッシュメモリ等）に格納して提供することも可能である。すなわち、コンピューターを、プロジェクター１の各構成要素として機能させるためのプログラム、およびそれを記録した記録媒体も、本発明の権利範囲に含まれるものである。
【００６８】
また、上述した実施例によらず、プロジェクター１の装置構成や処理工程等について、本発明の要旨を逸脱しない範囲で、適宜変更も可能である。
【符号の説明】
【００６９】
１…プロジェクター、２…外部機器、１１…信号入力部、１３…操作部、１４…音声出力部、１５…投写光学系、１６…レンズシャッター開閉検出部、１７…電源部、１８…制御部、２１…無線通信デバイス、２２…電源ボタン、２３…レンズシャッター、３１…光源装置、３１１…光源ランプ、３１２…照明光学系、３３…投写レンズ、３４…ランプ駆動部、３５…ライトバルブ駆動部、ＳＣ…スクリーン
【図１】
2012128130.tif 000003
【図２】
2012128130.tif 000004
【図３】
2012128130.tif 000005
【図４】
2012128130.tif 000006
【図５】
2012128130.tif 000007
【図６】
2012128130.tif 000008
【図７】
2012128130.tif 000009
【図８】
2012128130.tif 000010